(57)【要約】【課題】工期短縮を図ることが可能でありながら、頑強な構台のハンドリング作業を強いられずに済む、エレベータのかご据付方法の提供。【解決手段】昇降路５を構造物３に設ける昇降路設置工程と、かご１１を組立てるかご組立工程と、かごを昇降路に挿入するための揚重装置３３を建設現場に設置する揚重装置設置工程と、組み上がったかごを昇降路に挿入するかご据付工程とを備える。昇降路設置工程とかご組立工程とは並行して行われる。かご組立工程は、建設現場で行われる。かご組立工程では、建設現場の地上に仮ガイドレールを配置した後、仮ガイドレールに依拠してかごの組立てが行われる。かご据付工程は、かご組立工程の終了後に、揚重装置によって、組み上がったかごを吊り上げて、仮ガイドレールから抜き、昇降路に挿入するようにかごを吊り下ろす。【選択図】図８
2011246227.tif 000002
【特許請求の範囲】
【請求項１】
昇降路を有する構造物にエレベータのかごを据付ける、かご据付方法であって、
前記昇降路を前記構造物に設ける昇降路設置工程と、
前記かごを組立てるかご組立工程と、
前記かごを前記昇降路に挿入するための揚重装置を、前記構造物の建設現場に設置する揚重装置設置工程と、
組み上がった前記かごを前記昇降路に挿入するかご据付工程とを備え、
前記昇降路設置工程と、前記かご組立工程とは、並行して行われ、
前記かご組立工程は、前記構造物の建設現場で行われるものであり、
前記かご組立工程では、前記建設現場の地上に仮ガイドレールを配置した後、該仮ガイドレールに依拠してかごの組立てが行われ、
前記かご据付工程は、前記かご組立工程の終了後に、前記揚重装置によって、組み上がった前記かごを吊り上げて、前記仮ガイドレールから抜き、前記昇降路上部の据付入口から、該昇降路に挿入するように前記かごを吊り下ろす
エレベータのかご据付方法。
【請求項２】
前記かご組立工程は、前記建設現場の地上における前記揚重装置の届く領域で行われる、請求項１のエレベータのかご据付方法。
【発明の詳細な説明】
【技術分野】
【０００１】
本発明は、エレベータのかご据付方法に関するものである。
【背景技術】
【０００２】
エレベータは、上下に延びる昇降路内を昇降するかごを備えている。通常、かごは、構造物内で昇降路がほぼ完成した後、その昇降路内に部品を運び込み、昇降路内で徐々に組み上げられて、最終的に昇降路内に据付けられていた。
【０００３】
一方、近年の工期短縮の要望に応えるべく、昇降路の設置工事と並行して、かごの組立作業を工場内で進行させておく工事手法もある。この手法では、昇降路の完成にあわせて、組み上がったかごを工場から構造物現場へと運搬し、遅滞なく昇降路内にかごを据付ける。すなわち、かごの組立作業を、昇降路の完成を待つことなく開始し、昇降路の設置工事とかごの組立作業とを並行して行うことで、工期を短縮することができた。
【０００４】
また、上記工事手法では、工場で精度よく組み上がったかごを現場へと運搬する際、かごを保護する措置が必要であった。そこで、特許文献１に例示されるようなかご組構台が考案されている。この構台は、直方体の各辺に配置されたような複数の鋼材によって檻状に構成されており、かごは、それら鋼材に包囲された内側空間で組み立てられ、そのまま構台に収められた状態で運搬される。
【０００５】
しかしながら、上述したような構台は、運搬に耐える頑強な構造を得るべく非常に重量が大きな構造物となっていた。このため、かごを収めた構台を、工場から運搬トレーラ荷台に載せる作業や、トレーラで現場まで運ばれてきた構台を、トレーラ荷台から昇降路上部の据付入口に移送する作業は、大変困難な作業となっていた。特に、積み下ろしや移送に際して、トレーラ荷台上あるいは昇降路の据付入口近傍で、構台の姿勢を、立て位置と寝かせ位置との間で変更する必要があり、このことが更に作業を困難なものにさせていた。
【先行技術文献】
【特許文献】
【０００６】
【特許文献１】特開平６−２１９６６９号公報
【発明の概要】
【発明が解決しようとする課題】
【０００７】
本発明は、上述した事情に鑑みてなされたものであり、工期短縮を図ることが可能でありながら、頑強な構台のハンドリング作業を強いられずに済む、エレベータのかご据付方法を提供することを目的とする。
【課題を解決するための手段】
【０００８】
上述した目的を達成するための本発明は、昇降路を有する構造物にエレベータのかごを据付ける、かご据付方法であって、前記昇降路を前記構造物に設ける昇降路設置工程と、前記かごを組立てるかご組立工程と、前記かごを前記昇降路に挿入するための揚重装置を、前記構造物の建設現場に設置する揚重装置設置工程と、組み上がった前記かごを前記昇降路に挿入するかご据付工程とを備え、前記昇降路設置工程と、前記かご組立工程とは、並行して行われ、前記かご組立工程は、前記構造物の建設現場で行われるものであり、前記かご組立工程では、前記建設現場の地上に仮ガイドレールを配置した後、該仮ガイドレールに依拠してかごの組立てが行われ、前記かご据付工程は、前記かご組立工程の終了後に、前記揚重装置によって、組み上がった前記かごを吊り上げて、前記仮ガイドレールから抜き、前記昇降路上部の据付入口から、該昇降路に挿入するように前記かごを吊り下ろす。
【発明の効果】
【０００９】
本発明のエレベータのかご据付方法によれば、工期短縮を図ることが可能でありながら、頑強な構台のハンドリング作業を強いられずに済むという利点が得られる。
【図面の簡単な説明】
【００１０】
【図１】本発明の実施の形態が適用されるエレベータを側方から示す概略図である。
【図２】図１のエレベータに関し矢印IIに沿って正面側からみた図である。
【図３】本実施の形態に係るかご据付方法の一過程を示す図である。
【図４】本実施の形態に係るかご据付方法における、図３の次の過程を示す図である。
【図５】かご組立工程におけるかごの側面図である。
【図６】図５の矢印VIからみた、かごの正面図である。
【図７】図５の矢印VIIからみた、かごの平面図である。
【図８】本実施の形態に係るかご据付方法における、図４の次の過程を示す図である。
【図９】本実施の形態に係るかご据付方法における、図８の次の過程を示す図である。
【発明を実施するための形態】
【００１１】
以下、本発明に係るエレベータのかご据付方法の実施の形態について添付図面に基づいて説明する。なお、図中、同一符号は同一又は対応部分を示すものとする。
【００１２】
図１は、エレベータの概略を側方から示す図であり、図２は、図１のエレベータに関し矢印IIに沿って正面側からみた図である。
【００１３】
エレベータ１は、構造物３において上下に延びる昇降路５を備える。昇降路５内には、左右一対のかごガイドレール７やおもりガイドレール９が立設されている。一対のかごガイドレール７の間には、かご１１が昇降可能に設けられている。かご１１は、かごガイドレール７によって昇降方向に案内される。同様に、一対のおもりガイドレール９の間には、釣り合いおもり１３が昇降可能に設けられており、釣り合いおもり１３は、おもりガイドレール９によって昇降方向に案内される。かご１１と釣り合いおもり１３との間には、ロープ等の主索１５が渡されており、かご１１と釣り合いおもり１３は、相互に反対方向へと昇降する。
【００１４】
昇降路５の下部には、ピット１７が形成されている。ピット１７には、図示省略する周知の緩衝器等が設けられている。また、昇降路５内には、上記の他、例えば、駆動綱車、巻上機、そらせ車、調速機等、様々な周知の構成要素（図示省略）が設けられている。構造物３において、昇降路５の正面側（図１紙面左側）には、各階の乗場１９が設けられており、利用者は、これら各階の乗場１９から、かご１１に対して乗り降りする。
【００１５】
次に、上記に例示したような構成のエレベータにおける、かご据付方法について説明する。本実施の形態に係るエレベータのかご据付方法は、少なくとも、昇降路設置工程と、かご組立工程と、揚重装置設置工程と、かご据付工程とを備える。
【００１６】
昇降路設置工程は、構造物３に対してエレベータ１の昇降路５を形成する工程である。また、かご組立工程は、最終的には昇降路５に収容されるエレベータ１のかご１１を組立てる工程である。
【００１７】
本発明におけるかご組立工程は、対象となる構造物３の建設現場（構造物近傍）の地上で行われ、換言するならば、建設現場から離れた工場や逆に昇降路５内部で行われるものではない。より好適には、かご組立工程は、建設現場における、後述する揚重装置が直接、届く領域で行われる。
【００１８】
また、かご組立工程は、昇降路設置工程と並行して行われる。ここで、並行して行われるとは、両工程が同時に開始されるか、または、少なくとも部分的に重なって行われている期間があることをいうものとする。
【００１９】
図３〜図７に基づいて、昇降路設置工程及びかご組立工程について説明する。図３に示されるように、昇降路設置工程において構造物３内に、昇降路５を構成する空間が設けられる。さらに、昇降路５内には、図４に示されるように、かごガイドレール７が設けられる。一方、建設現場２１の地上２１ａでは、かご組立工程が行われる。
【００２０】
かご組立工程は、まず、建設現場２１の地上２１ａに、仮ガイドレール２３を配置した後、仮ガイドレール２３に依拠してかご１１の組立てが行われる。図５〜図７に基づいて更に詳細に説明する。図５は、かご組立工程におけるかごの側面図である。図６及び図７はそれぞれ、図５の矢印VI及び矢印VIIからみた、かごの正面図及び平面図である。
【００２１】
図５〜図７に示されるように、かご組立工程においては、まず、建設現場２１の地上２１ａに、受け台２５が載置される。受け台２５は、本実施の形態では、鋼材を平面視、Ｈ字状をなすように構成したものである。受け台２５は、左右一対の端部材２５ａと、中央材２５ｂとを含んでいる。一対の端部材２５ａは、それぞれ前後方向（図７紙面上下方向）に延びている。中央材２５ｂは、一対の端部材２５ａの前後方向中間部分を接続するように左右方向に延びている。
【００２２】
一対の端部材２５ａの前後方向中間部分、もしくは、端部材２５ａの左右両端部分には、左右一対の仮ガイドレール２３が立設されている。これら仮ガイドレール２３は、ターンバックル２７によって支持されている（図６及び図７では図示省略）。また、左右一対の仮ガイドレール２３の間には、左右一対の支持部材２９が設けられている。支持部材２９は、かご組立工程においてかご１１の床を支えるものであり、例えば、ジャッキ機構を備えていたり、あるいは、正規のピット１７に設けられる緩衝器のような構成を備えていたりするとよい。
【００２３】
かご１１は、仮ガイドレール２３を、正規のかごガイドレール７にみたてて組立が行われる。よって、かご１１は、ガイドシュー３１を介して仮ガイドレール２３に支持されており、図示しない非常止め等を外すと、仮ガイドレール２３に沿ってスライドするように組立てられている。
【００２４】
図８に示されるように、建設現場２１には、揚重装置設置工程において設けられた揚重装置３３が用意されている。揚重装置３３には、通常、クレーンが用いられる。また、揚重装置設置工程の実施タイミングは、特に限定されず、昇降路設置工程やかご組立工程の開始前でもよいし、開始後でもよいが、後述するかご据付工程の開始前に揚重装置３３の配置が完了していればよい。これに関連し、揚重装置３３は、かごの据付だけに用いられる装置である必要は無く、様々な資材を移動させるための装置が兼用されていてもよい。
【００２５】
揚重装置設置工程、昇降路設置工程及びかご組立工程の終了後に、かご据付工程が行われる。図８に示されるように、まず、揚重装置３３によって、かご組立工程で組み上げられたかご１１を吊り上げ、かご１１を仮ガイドレール２３から抜き上げる。そして、揚重装置３３によって、かご１１を、昇降路５上部（例えば構造物３屋上）の据付入口まで移送する。
【００２６】
さらに、図９に示されるように、揚重装置３３によって、かご１１を、据付入口から昇降路５内に挿入するように、吊り下ろす。より詳細には、ガイドシュー３１がかごガイドレール７に係合するようにかご１１を下ろし、かご１１を昇降路５内に昇降可能に据付ける。以上のようにして、エレベータのかごの据付が行われる。
【００２７】
上述した本実施の形態に係るエレベータのかご据付方法によれば、まず、昇降路の設置工事と並行して、昇降路横の現場でかごの組立作業が進められるため、昇降路の完成にあわせて、組み上がったかごを遅滞なく昇降路内に据付けることができる。すなわち、かごの組立作業が、昇降路の完成を待つことなく開始され、工期を短縮することができる。さらに加えて、かご組立工程は、建設現場にて行われるので、組み上がったかごを工場等からトレーラ等で現場まで運搬する作業は不要となる。このように、本実施の形態では、工期短縮を図ることが可能でありながら、これまでは避けられなかった頑強な構台のハンドリング作業を強いられずに済むという有益な利点がある。
【００２８】
さらに、工場等から現場までの運搬が不要となるため、頑強で重量が非常に大きな構台も必要なくなり、すなわち、図５〜図７に例示したような仮ガイドレールを支え、そして、かごを支えておける程度の受け台があれば足りるという利点もある。
【００２９】
また、本実施の形態では、作業スペースの狭い昇降路内ではなくスペースの制約が少ない建設現場でかごを組み上げるので、かごの組み立てがやりやすく、効率よく作業を行うことができる。加えて、組立作業は建設現場の地上で行われるので、昇降路内でかごを組み立てるときのように、部品落下のおそれがなく、組み立てに集中しやすく、それによっても、効率よく作業を行うことができる。
【００３０】
また、組立作業を建設現場の地上で行うことは、昇降路内でかごの組み立てを行うときのように部品をいったん高所に搬送する必要をなくすことに帰結する。よって、部品を高所に搬送するための装置を確保するための手間や費用、当該装置に関する管理等を省くことができる。
【００３１】
さらに、かごの組み立てを、建設現場のなかでも、揚重装置が届く領域で行うようにすれば、組み上がったかごを、直接、揚重装置で吊り上げ、そのまま昇降路内に挿入することができる。よって、前述したように組み上がったかごの運搬を不要としたことと相俟って、作業効率の向上及び移動用機器の省略をより一層推し進めることができる。また、その際、仮ガイドレールを上下に指向させて設けておけば、組立から据付けを完了するまで、かごを寝かせたり立たせたりという姿勢変更作業が強いられず、そのままの姿勢で吊り上げ昇降路内への挿入に移行でき、さらに作業効率を向上させることができる。
【００３２】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３３】
１  エレベータ、３  構造物、５  昇降路、１１  かご、２１  建設現場、２３  仮ガイドレール、３３  揚重装置。
【図１】
2011246227.tif 000003
【図２】
2011246227.tif 000004
【図３】
2011246227.tif 000005
【図４】
2011246227.tif 000006
【図５】
2011246227.tif 000007
【図６】
2011246227.tif 000008
【図７】
2011246227.tif 000009
【図８】
2011246227.tif 000010
【図９】
2011246227.tif 000011